(57)【特許請求の範囲】
【請求項１】
封筒上紙と封筒下紙を三周辺で接着し、一辺を開口してなる封筒を備え、前記封筒下紙の開口辺にはこの開口辺を封緘するための封緘片を綴じ合わせ、前記封筒上紙と前記封筒下紙の少なくとも一方における開口辺と反対側の接着辺には切り用ミシン目を介して綴じ片を連接し、前記封筒上紙の表面には封筒のあて先をあらかじめ表示する一方、前記封筒上紙の表面側に前記あて先を被覆隠蔽する隠蔽用紙を重ねて、この隠蔽用紙の対向する一対の辺の一方を前記封緘片に切り用ミシン目を介して連接し、前記一対の辺の他方は前記綴じ片に綴じ合わせたことを特徴とする隠蔽用紙付き封筒。
【請求項２】
封筒下紙の封緘片綴じ合わせ端に切り用ミシン目を介して補助片を連接し、この補助片の前記封筒下紙との連接端とは反対側端に、隠蔽用紙及び封緘片の上に重ねた、申込書と、各種情報を表示した情報表示用紙とを、互いに綴じ合わせるとともに、前記申込書は分離可能に構成したことを特徴とする請求項１記載の隠蔽用紙付き封筒。
【発明の詳細な説明】
【技術分野】
【０００１】
本発明は、各種の申込書を封入して申込先に郵送するために、あらかじめあて先が表示された封筒に関し、特にあて先を隠蔽する隠蔽用紙を設けてなる隠蔽用紙付き封筒に関する。
【背景技術】
【０００２】
従来から、金融機関などの各種サービスを受けるための申込書を郵送する封筒は、別に用意した申込書やパンフレットとともにフィルム袋に収納したり、申込書やパンフレットと一体化したものを折り畳んで、店内に置いているのが一般的である。そして、封筒には、申込者の便宜を考慮してあらかじめあて先を表示している。
【特許文献１】実開平１−１１２９７５号公報
【発明の開示】
【発明が解決しようとする課題】
【０００３】
ところが、店内におけるフィルム袋や折り畳んだ申込書付き封筒の持ち出しは自由なため、封筒のあて先を改変されたり、別のあて先を表示した封筒に差し替えられる可能性がある。そして、このような不正行為がなされると、申込者の個人情報を記入した申込書が、正規の送付先でない別のあて先に送られて、個人情報が窃取されてしまう事態を生じる。本発明は、このような事態が生じるのを防止する隠蔽用紙付き封筒を提供することを目的とする。
【課題を解決するための手段】
【０００４】
この目的を達成するため本発明の請求項１に係る隠蔽用紙付き封筒は、封筒上紙と封筒下紙を三周辺で接着し、一辺を開口してなる封筒を備え、前記封筒下紙の開口辺にはこの開口辺を封緘するための封緘片を綴じ合わせ、前記封筒上紙と前記封筒下紙の少なくとも一方における開口辺と反対側の接着辺には切り用ミシン目を介して綴じ片を連接し、前記封筒上紙の表面には封筒のあて先をあらかじめ表示する一方、前記封筒上紙の表面側に前記あて先を被覆隠蔽する隠蔽用紙を重ねて、この隠蔽用紙の対向する一対の辺の一方を前記封緘片に切り用ミシン目を介して連接し、前記一対の辺の他方は前記綴じ片に綴じ合わせたものである。
【０００５】
また、同じく上記目的を達成するために本発明の請求項２に係る隠蔽用紙付き封筒は、上記請求項１の構成において、封筒下紙の封緘片綴じ合わせ端に切り用ミシン目を介して補助片を連接し、この補助片の前記封筒下紙との連接端とは反対側端に、隠蔽用紙及び封緘片の上に重ねた、申込書と、各種情報を表示した情報表示用紙とを、互いに綴じ合わせるとともに、前記申込書は分離可能に構成したものである。
【発明の効果】
【０００６】
本発明の請求項１に係る隠蔽用紙付き封筒によれば、封筒のあて先が切り用ミシン目を破断しなければ封筒から分離できない隠蔽用紙で被覆隠蔽されているので、あて先の改変や封筒の差し替えという不正行為を行うことが困難であるとともに、不正行為をしたか否かを視覚によって容易に判断することができ、しいては個人情報の窃取を未然に防止できるほか、隠蔽用紙を封筒から分離すると封緘片が形成されるので、封筒としての使い勝手もよいという効果を奏する。
【０００７】
本発明の請求項２に係る隠蔽用紙付き封筒によれば、申込書及び情報表示用紙を封筒下紙に連接した補助片と一体的に綴じ合わせるとともに、申込書は分離可能に構成したので、上記効果に加え、申込書送付用の封筒としての使い勝手はより向上するという効果を奏する。
【発明を実施するための最良の形態】
【０００８】
以下、本発明の好適な実施形態について添付図面に基づき説明する。ここにおいて、図１は隠蔽用紙付き封筒の平面図、図２はそのＡ−Ａ線端面図、図３は同じくＢ−Ｂ線端面図、図４は申込書の平面図、図５は切り用ミシン目を介して連接した封緘片及び隠蔽用紙の平面図、図６は封筒上紙の表面側を示す平面図、図７は切り用ミシン目を介して連接した封筒下紙と補助片を示す平面図、図８は隠蔽用紙及び綴じ片を切り離して封筒を形成した状態を示す端面図である。
【０００９】
図２及び図３に示すように、隠蔽用紙付き封筒１は、封筒上紙２と封筒下紙３を三周辺で接着剤４により接着し、一辺を開口してなる封筒５を備えている。前記封筒下紙３の開口辺にはこの開口辺を封緘するための封緘片６を接着剤７で綴じ合わせ、この封緘片６と対向する前記封筒上紙２表面の開口辺近傍には、アスティックテープ８を設けている。また、前記封筒上紙２と前記封筒下紙３における開口辺と反対側の接着辺には、それぞれ切り用ミシン目９，１０を介して綴じ片１１，１２を連接し、接着剤１３で互いに綴じ合わせている。
【００１０】
図６に示すように、封筒上紙２の表面には、封筒５のあて先１４と隠蔽用紙付き封筒１を置く店舗固有の店舗コード１５あらかじめ表示している。図２及び図３に示すように、前記封筒上紙２の表面側には、前記あて先１４を被覆隠蔽する隠蔽用紙１６を重ねて、この隠蔽用紙１６の対向する一対の辺の一方を封緘片６に切り用ミシン目１７を介して連接し、前記一対の辺の他方は前記封筒上紙２に連接した綴じ片１２に接着剤１８で綴じ合わせている。
【００１１】
図５に示すように、隠蔽用紙１６の表面には、説明文１９をあらかじめ表示している。この説明文１９は、例えば、後述する申込書に記載される個人情報の取扱に関する説明や、隠蔽用紙付き封筒１の使用方法に関する説明である。
【００１２】
図２に示すように、封筒下紙３の封緘片６綴じ合わせ端に切り用ミシン目２０を介して補助片２１を連接している。この補助片２１の前記封筒下紙３との連接端とは反対側端に、隠蔽用紙１６及び封緘片６の上に重ねた、申込書２２と、各種情報を表示した２枚の情報表示用紙２３，２４とを、互いに接着剤２５，２６，２７で綴じ合わせている。前記申込書２２は綴じ合わせ部分の内側に切り用ミシン目２８を設けて分離可能としている。なお、前記補助片２１の横方向の長さと前記封筒下紙３及び綴じ片１１を合わせた横方向の長さは、ほぼ同一であり、切り用ミシン目２１が横方向のほぼ中央部分に位置している。
【００１３】
図１に示すように、最上位の情報表示用紙２４の表面には「○○入会のご案内」という表題を中央から右側に表示し、その下に案内文２９を全体にわたって表示してあり、また、図示してはいないが、下位の情報表示用紙２３の表面には、宣伝広告文を表示してある。一方、図４に示すように、申込書２２の表面には、「入会申込書」という表題の下に申込情報記入欄３０を表示し、さらにその下に、封筒上紙２に表示した店舗コード１５と同一内容の店舗コード３１を表示している。
【００１４】
続いて、上述した隠蔽用紙付き封筒１の使用方法について説明する。この隠蔽用紙付き封筒１は、図１の横方向中央部分で情報表示用紙２４を外側にして二つ折りし、「○○入会のご案内」という表題が表出した状態で、必要に応じてフィルム袋に収納して、銀行やコンビニエンスストア等の店舗内に置かれる。入会申込希望者は、この二つ折りされた隠蔽用紙付き封筒１を持ち帰るのであるが、隠蔽用紙付き封筒１は、正規状態であれば、封筒上紙２のあて先表示面が隠蔽用紙１６によって被覆され、あて先１４は隠蔽されている一方、切り用ミシン目１７が破断される等して、あて先１４が視認可能状態にあれば、不正規状態と視覚により容易に判断できるので、個人情報の窃取を未然に防ぐことができる。
【００１５】
申込希望者は隠蔽用紙付き封筒１が正規状態にあることを確認した後、隠蔽用紙１６に表示された説明文１９にしたがって、申込書２２を切り用ミシン目を２８から切り離すとともに、切り用ミシン目２０を破断して、封筒５部分を補助片２１から切り離す。そして、隠蔽用紙１６の綴じ片１１，１２対応部分と綴じ片１１とを上下からを摘んで引っ張ると、各切り用ミシン目９，１０，１７が破断して、隠蔽用紙１６及び各綴じ片１１，１２は、封緘片６を備えた封筒５から切り離され、封筒５が使用可能状態となる（図８参照）。
【００１６】
したがって、所定事項を記入して折り畳んだ申込書２２を封筒５に挿入し、アスティックテープ８を剥離して、封緘片６を封筒下紙３に重ねれば、封緘状態となって、前記封筒上紙２に表示された正規のあて先１４に郵送可能となる。一方、この封筒５を受領した送付先では、開封後、封筒上紙２と申込書２２に表示された店舗コード１５，３１を照合、確認して正規の店舗に置かれていたものか否かの確認ができる。
【００１７】
なお、本発明は、上述の実施形態に限定されるものではなく、例えば、封筒上紙２及び封筒下紙３にそれぞれ連接した綴じ片１１，１２は、少なくともどちらか一方を設けておけば足るものである。また、情報表示用紙２３，２４の数は２枚に限定されず、１枚でもよいし、３枚以上でもよいほか、これらを別体として構成してもよい。さらに、申込書２２は隠蔽用紙付き封筒１に綴じ込まず、別体に構成してもよい。さらにまた、申込書２２の縦方向の長さを、封筒上紙２及び封筒下紙３の上下端の糊代を考慮して、情報表示用紙２３，２４よりも短く形成すると封筒５内への挿入が容易となって好適である。
【図面の簡単な説明】
【００１８】
【図１】隠蔽用紙付き封筒の平面図。
【図２】図１のＡ−Ａ線端面図。
【図３】図１のＢ−Ｂ線端面図。
【図４】申込書の平面図。
【図５】切り用ミシン目を介して連接した封緘片及び隠蔽用紙の平面図。
【図６】封筒上紙の表面側を示す平面図。
【図７】切り用ミシン目を介して連接した封筒下紙と補助片を示す平面図。
【図８】隠蔽用紙及び綴じ片を切り離して封筒を形成した状態を示す端面図。
【符号の説明】
【００１９】
１      隠蔽用紙付き封筒
２      封筒上紙
３      封筒下紙
４，７，１３，１８，２５，２６，２７      接着剤
５      封筒
６      封緘片
８      アスティックテープ
９，１０，１７，２０，２８      切り用ミシン目
１１，１２      綴じ片
１４      あて先
１５，３１      店舗コード
１６      隠蔽用紙
１９      説明文
２１      補助片
２２      申込書
２３，２４      情報表示用紙
２９      案内文
３０      申込情報記入欄
【図１】
0004699844.tif 000002
【図２】
0004699844.tif 000003
【図３】
0004699844.tif 000004
【図４】
0004699844.tif 000005
【図５】
0004699844.tif 000006
【図６】
0004699844.tif 000007
【図７】
0004699844.tif 000008
【図８】
0004699844.tif 000009